(57)【要約】【課題】  照明カバーの形状に制約を受けることなく、照明範囲を変更可能にする。【解決手段】  ソケット１に外装させる本体部２と、この本体部２に対して上下方向に取り付け位置を変更自在に形成すると共に、下端に照明カバー３を取り付けるための細長状の垂直部材４とで構成する。この場合、本考案は、本体部２の外周面に係合用の突起６を周方向に間隔をあけて複数設け、この突起６に合わせて垂直部材４を本体部２の周りに複数設け、この垂直部材４に、突起６と係合する係合部７を長手方向に沿って多段階状に複数形成するのが好ましい。またこの場合、突起６は、本体部２の外周面に周方向に１２０度毎あけて計３個設け、この突起６に合わせて垂直部材４を、本体部２の周りに計３本設けるのが好ましい。【選択図】      図１
0003135812.tif 000002
【実用新案登録請求の範囲】
【請求項１】
ソケットに外装される本体部と、この本体部に対して上下方向に取り付け位置が変更自在に形成されると共に、下端に照明カバーが取り付けられる細長状の垂直部材とで構成されていることを特徴とする照明カバーの高さ調節器具。
【請求項２】
請求項１記載の照明カバーの高さ調節器具であって、本体部の外周面に周方向に間隔をあけて係合用の突起が複数設けられ、この突起に合わせて垂直部材が本体部の周りに複数設けられ、この垂直部材に、突起に係合する係合部が長手方向に沿って多段階状に複数形成されていることを特徴とする照明カバーの高さ調節器具。
【請求項３】
請求項２記載の照明カバーの高さ調節器具であって、突起が本体部の外周面に周方向に１２０度毎あけて計３個設けられ、この突起に合わせて垂直部材が本体部の周りに計３本設けられていることを特徴とする照明カバーの高さ調節器具。
【考案の詳細な説明】
【技術分野】
【０００１】
本考案は、照明カバーの高さ調節器具に関し、更に詳しくは照明範囲を変更できるよう、白熱電球等の電灯の照明カバーの高さを調節可能に形成した照明カバーの高さ調節器具に関するものである。
【背景技術】
【０００２】
従来、この種の照明カバーとしては、例えば天井に取り付ける外筒フードと、この外筒フードの内側に螺合させた内筒フードとで形成しているものがある（例えば特許文献１参照）。
この従来品は、内筒フードを回転させて外筒フードに対して上下動させ、外筒フード内のランプから、内筒フードの開口下面までの距離を変え、照明範囲（照明角度）を調節するものである。
【０００３】
従来品は、上記のように、内筒フードを回してフードの全長（上下方向の長さ）を変え、これにより外筒フード内に設けたランプの照明範囲を変える構造であった。
従って従来品の場合は、フード（照明カバー）の形状が円筒形に限定され、その他の形状では実現できない、という問題点があった。
また従来品は、このようにフードの形状が円筒形に限定されたため、内筒フードの高さを変えて照明範囲を変更できても、例えば逆漏斗状のフード（照明カバー）を上下動させる場合に比べ、照明範囲が狭くなるのを避けられなかった。
【特許文献１】特開平７−２１１１０９号公報
【考案の開示】
【考案が解決しようとする課題】
【０００４】
本考案は、このような従来品の問題点に鑑み、提案されたものである。
従って本考案が解決しようとする技術的課題は、照明カバーの形状に制約を受けることなく、照明カバーの高さを変更可能にし、照明範囲を調節できるよう形成した照明カバーの高さ調節器具を提供することにある。
【課題を解決するための手段】
【０００５】
本考案は、上記の課題を解決するため、次のような技術的手段を採る。
即ち本考案は、図１等に示されるように、ソケット１に外装される本体部２と、この本体部２に対して上下方向に取り付け位置が変更自在に形成されると共に、下端に照明カバー３が取り付けられる細長状の垂直部材４とで構成されていることを特徴とする（請求項１）。
【０００６】
この場合、本考案は、本体部２の外周面に係合用の突起６が周方向に間隔をあけて複数設けられ、この突起６に合わせて垂直部材４が本体部２の周りに複数設けられ、この垂直部材４に、突起６と係合する係合部７が長手方向に沿って多段階状に複数形成されているのが好ましい（請求項２）。
なぜならこれによると、垂直部材４の係合部７と突起６とを係合させることで、簡単、迅速に照明カバー３の高さを調節できるからである。
【０００７】
またこの場合、本考案は、突起６が、本体部２の外周面に周方向に１２０度毎あけて計３個設けられ、この突起６に合わせて垂直部材４が、本体部２の周りに計３本設けられているのが好ましい（請求項３）。
なぜならこれによると、照明カバー３を必要最低限の部品で、安定した姿勢で高さ調節できるからである。
【考案の効果】
【０００８】
本考案は、このようにソケットに外装される本体部と、この本体部に対して上下方向に取り付け位置が変更自在に形成されると共に、下端に照明カバーが取り付けられる細長状の垂直部材とで構成されているものである。
従って本考案を使用すれば、照明カバーの形状に制約を受けることなく、照明カバーの高さを変更でき、照明範囲を調節できる、という実用上優れた効果を奏する。
【考案を実施するための最良の形態】
【０００９】
以下、本考案の好適な一実施形態を添付図面に従って説明する。
本考案は、図１等に示されるように、ソケット１に外装される本体部２と、この本体部２に対して上下方向に取り付け位置が変更自在に形成されると共に、下端に照明カバー３が取り付けられる垂直部材４とでなる。
【００１０】
５は、ソケット１に差し込まれている電球である。上記の垂直部材４の下端には、この実施形態では図２に示されるように、ネジ４ａでリング金具４ｂが取り付けられている。そしてこのリング金具４ｂに照明カバー３が取り付けられ、これにより照明カバー３が垂直部材４の下端に連結されている。なお垂直部材４の長さL１（図２参照）は、この実施形態では１５０(ｍｍ)に選定されている。また例えばL２（図２参照）は、８８（ｍｍ）である。
【００１１】
本体部２（図１参照）の外周面は、この実施形態では周方向及び縦方向にわたって開口２ａと桟２ｂとが交番的に繰り返されて円筒の骨組状に形成されている。またこの実施形態の場合、この本体部２の下端には、金属製のリング部材２ｃが同心状にネジ止めされている。そしてこのリング部材２ｃの外周面に、周方向に１２０度毎あけて係合用の突起６が計３個設けられている。この突起６は、頭部６ａと軸部６ｂとでネジ状に形成されている。
【００１２】
またこの実施形態の本考案は、突起６に合わせて上記の垂直部材４が本体部２の周りに計３本設けられている。垂直部材４は、金属板で細長い板状に形成されている。そしてこの垂直部材４に、突起６に係合する係合部７が、長手方向に沿って多段階状に複数形成されている。
【００１３】
係合部７は、図４等に示されるように、突起６の軸部６ｂと係合する凸湾曲部７ａと、この凸湾曲部７ａに軸部６ｂを案内するため一端部が凸湾曲部７ａと連通状に形成されている水平状のガイド孔７ｂとで形成されている。７ｃは、突起６の軸部６ｂを係合させたまま垂直部材４を上下動させて軸部６ｂを凸湾曲部７ａに係合できるようにするための案内孔である。この案内孔７ｃは、ガイド孔７ｂの他端部と連通して垂直部材４の長手方向に沿って縦長状に形成されている。
【００１４】
案内孔７ｃの、例えば上端には、突起６の頭部６ａより径が大きい孔７ｄが、案内孔７ｃと連通状に形成されている。この孔７ｄは、突起６と垂直部材４との係合を解き、照明カバー３を本体部２から取り外すときに使用するものである。
【００１５】
上記の照明カバー３は、この実施形態では逆漏斗状に形成されている。またこの照明カバー３は、内面が反射面に形成されている。
【００１６】
次に本考案の使用例を説明する。
ユーザは、図１の状態から照明範囲を広げる場合は、先ず照明カバー３を持ち上げ、次に、図面上、左方向に少し回す。照明カバー３を持ち上げると、照明カバー３と一体化している垂直部材４が一緒に持ち上がり、図５に示されるように、凸湾曲部７ａと突起６の軸部６ｂとの係合状態が、同図Ａの係合状態から、同図Ｂに示されるように解かれる。そして照明カバー３が、左方向に少し回されると、同図Ｂに示されるように、突起６の軸部６ｂが、ガイド孔７ｂを介して案内孔７ｃに配置される。
【００１７】
次にユーザは、照明カバー３を任意の高さまで持ち上げ、続いて、図面上、右方向に回す。照明カバー３が持ち上げられると、軸部６ｂは案内孔７ｃに係合した状態で案内孔７ｃの下方位置に配置される。そして照明カバー３が、右方向に回されると、軸部６ｂは、同図Ｂにおいて、ガイド孔７ｂの左側の位置に配置される。
【００１８】
その後、ユーザは、照明カバー３を引き下ろす。すると、同図Ｃに示されるように、軸部６ｂが、当初の凸湾曲部７ａより下方の凸湾曲部７ａに係合する。これにより、照明カバー３は、図６に示されるように、当初の高さ（図１参照）より高くなり、照明カバー３の開口面と電球５との間隔が縮まり、照明範囲が広くなる。なお照明範囲を狭める場合は、上例と逆に操作する。
【００１９】
以上の処において、本考案の場合、上記の突起６の個数や垂直部材４の本数は、任意である。
また上例では、縦長状の案内孔７ｃを利用して突起６の軸部６ｂが垂直部材４と係合したまま照明カバー３を上下動可能に形成されているが、本考案はこれに限定されるものではない。また本考案の場合、照明カバー３の形状は、例えば逆円錐形や多角形等でも良い。
【図面の簡単な説明】
【００２０】
【図１】本考案の器具の好適な一実施形態を示す使用状態時の正面図である。
【図２】同上器具の要部斜視図である。
【図３】図１のＩＩＩ―ＩＩＩ線から見た要部拡大図である。
【図４】同上器具の要部正面図である。
【図５】Ａ、Ｂ、Ｃとも同上器具の使用例を説明するための要部拡大正面図である。
【図６】照明カバーの高さを変更したときの例を示す同上器具の正面図である。
【符号の説明】
【００２１】
１    ソケット
２    本体部
３    照明カバー
４    垂直部材
５    電球
６    突起
７    係合部
【図１】
0003135812.tif 000003
【図２】
0003135812.tif 000004
【図３】
0003135812.tif 000005
【図４】
0003135812.tif 000006
【図５】
0003135812.tif 000007
【図６】
0003135812.tif 000008